(57)【要約】【課題】  屋外に設置された自動販売機等でも使用可能な防水性・防塵性を備えるとともに、スワイプ操作性及び読み取り精度の向上を図ることができる磁気カード読取装置を提供する。【解決手段】  磁気カード読取装置１０は、装置本体２０に収容されるとともに読み取り用スリット４１を有する磁気読み取り部４２と、読み取り用スリット４１に連通するとともに磁気カード１１を水平方向にスワイプ操作させるガイド用スリット２１と、磁気カード１１の動作に合わせて、読み取り用スリット４１の開放部を開閉するシャッタ６０と、を備え、ガイド用スリット２１は、一側から他側に向く方向及び他側から一側に向く方向のいずれの方向においてもスワイプ操作可能に形成される。【選択図】  図２
2016115233.tif 000002
【特許請求の範囲】
【請求項１】
磁気カード読取装置であって、
装置本体と、
前記装置本体に収容されるとともに、磁気カードの情報を読み取り可能な読み取り用スリットを有する磁気読み取り部と、
前記装置本体に形成され、前記読み取り用スリットに連通するとともに前記磁気カードを水平な姿勢でかつ水平方向にスワイプ操作させるガイド用スリットと、
前記ガイド用スリットに挿入されてスワイプ操作される前記磁気カードの動作に合わせて、前記読み取り用スリットの正面側の開放部及び前記読み取り用スリットの両端の開放部を開閉するシャッタと、を備え、
前記ガイド用スリットが、前記ガイド用スリットの一側から他側に向く方向及び前記ガイド用スリットの他側から一側に向く方向のいずれの方向においてもスワイプ操作可能に形成されることを特徴とする磁気カード読取装置。
【請求項２】
さらに、前記シャッタを閉じ方向に付勢する付勢部材を備え、
前記シャッタが、前記ガイド用スリットに挿入される前記磁気カードに押されることにより前記付勢部材に抗して開き位置に動作する一方、前記磁気カードのスワイプ操作が完了すると、前記付勢部材により閉じ位置に戻ることを特徴とする請求項１に記載の磁気カード読取装置。
【請求項３】
前記シャッタが、上下方向に沿って移動可能に前記装置本体に収容されるとともに、傾斜部を左右両端部のそれぞれに有し、
前記シャッタは、一方の端部の前記傾斜部が、前記ガイド用スリットに挿入される前記磁気カードで押し下げられることにより、前記付勢部材に抗して閉じ位置から開き位置に下降し、前記磁気カードが、前記ガイド用スリットをスワイプ操作された後に他方の端部の前記傾斜部から離脱することにより、前記付勢部材によって開き位置から閉じ位置に上昇することを特徴とする請求項２に記載の磁気カード読取装置。
【請求項４】
さらに、前記シャッタの位置を検出する位置検出手段を備えることを特徴とする請求項１ないし３のいずれか１項に記載の磁気カード読取装置。
【請求項５】
前記位置検出手段が、前記シャッタに設けられる金属部品と、前記装置本体に設けられ、前記シャッタの閉じ位置において前記金属部品に対向する近接センサと、を備えることを特徴とする請求項４に記載の磁気カード読取装置。
【請求項６】
前記装置本体が、前記ガイド用スリットの端部に連なる部分であって前記磁気カードを前記ガイド用スリットに案内する挿し込み用ガイド部を有し、
前記挿し込み用ガイド部が、その天井面に沿って前記ガイド用スリット側に流れる水を落下させる防水構造を有することを特徴とする請求項１ないし５のいずれか１項に記載の磁気カード読取装置。
【請求項７】
前記装置本体が、前記シャッタを収容するシャッタ収容部を有し、
前記シャッタ収容部が、前記シャッタ収容部内に侵入した水を排出する排水構造を有することを特徴とする請求項６に記載の磁気カード読取装置。
【請求項８】
前記装置本体が、前記シャッタ収容部を下方から塞ぐ蓋体を有し、
前記排水構造が、前記蓋体の厚み方向に貫通する貫通孔であることを特徴とする請求項７に記載の磁気カード読取装置。
【発明の詳細な説明】
【技術分野】
【０００１】
本発明は、自動販売機等の機器外部に配設された磁気カード読取装置に関し、特にスワイプ方式の磁気カード読取装置に関する。
【背景技術】
【０００２】
自動販売機等が設置される無人の場所で磁気カードを読み取る場合、カードの取り忘れや、磁気カードが引き込まれて戻ってこないことを防止するため、磁気カードから手を離さないスワイプ方式の読取装置を用いることが好適である。また、屋外に設置された自動販売機等にスワイプ方式の読取装置を設ける場合、磁気読み取り部を雨水や塵埃から保護する観点から、さらに防水構造及び防塵構造が必要になる。従来、防水構造及び防塵構造を備えたスワイプ方式の読取装置が提案されている（例えば、特許文献１参照）。
【０００３】
特許文献１の磁気カード読取装置では、磁気カードを挿し込むことでシャッタを開き、鉛直下向きにスワイプ操作することで磁気カードの磁気ストライプに記憶されている情報を読み取る。そして、磁気カードをさらに下方に移動させてスワイプ操作を完了させるとシャッタが閉じ、これにより、磁気カードがスワイプ操作されない待機状態において、装置内部への雨水や塵埃の侵入を防止することができる。
【０００４】
ところで、近年、磁気カード読取装置には、より優れた使用性が求められている。しかしながら、特許文献１の磁気カード読取装置では、磁気カードの操作方向が鉛直下向きのみであり、このため、より操作性に優れたスワイプ方式の磁気カード読取装置が要望されている。
【先行技術文献】
【特許文献】
【０００５】
【特許文献１】特開２０１３−７３４６０号公報
【発明の概要】
【発明が解決しようとする課題】
【０００６】
本発明は、このような事情に鑑みてなされたものであり、その目的は、屋外に設置された自動販売機等でも使用可能な防水性・防塵性を備えるとともに、スワイプ操作性及び読み取り精度の向上を図ることができる磁気カード読取装置を提供することにある。
【課題を解決するための手段】
【０００７】
（１）本発明は、磁気カード読取装置であって、装置本体と、前記装置本体に収容されるとともに、磁気カードの情報を読み取り可能な読み取り用スリットを有する磁気読み取り部と、前記装置本体に形成され、前記読み取り用スリットに連通するとともに前記磁気カードを水平な姿勢でかつ水平方向にスワイプ操作させるガイド用スリットと、前記ガイド用スリットに挿入されてスワイプ操作される前記磁気カードの動作に合わせて、前記読み取り用スリットの正面側の開放部及び前記読み取り用スリットの両端の開放部を開閉するシャッタと、を備え、前記ガイド用スリットが、前記ガイド用スリットの一側から他側に向く方向及び前記ガイド用スリットの他側から一側に向く方向のいずれの方向においてもスワイプ操作可能に形成されることを特徴とする。
【０００８】
（２）本発明は、上記（１）の構成において、さらに、前記シャッタを閉じ方向に付勢する付勢部材を備え、前記シャッタが、前記ガイド用スリットに挿入される前記磁気カードに押されることにより前記付勢部材に抗して開き位置に動作する一方、前記磁気カードのスワイプ操作が完了すると、前記付勢部材により閉じ位置に戻ることを特徴とする。
【０００９】
（３）本発明は、上記（２）の構成において、前記シャッタが、上下方向に沿って移動可能に前記装置本体に収容されるとともに、傾斜部を左右両端部のそれぞれに有し、前記シャッタは、一方の端部の前記傾斜部が、前記ガイド用スリットに挿入される前記磁気カードで押し下げられることにより、前記付勢部材に抗して閉じ位置から開き位置に下降し、前記磁気カードが、前記ガイド用スリットをスワイプ操作された後に他方の端部の前記傾斜部から離脱することにより、前記付勢部材によって開き位置から閉じ位置に上昇することを特徴とする。
【００１０】
（４）本発明は、上記（１）ないし（３）のいずれかの構成において、さらに、前記シャッタの位置を検出する位置検出手段を備えることを特徴とする。
【００１１】
（５）本発明は、上記（４）の構成において、前記位置検出手段が、前記シャッタに設けられる金属部品と、前記装置本体に設けられ、前記シャッタの閉じ位置において前記金属部品に対向する近接センサと、を備えることを特徴とする。
【００１２】
（６）本発明は、上記（１）ないし（５）のいずれかの構成において、前記装置本体が、前記ガイド用スリットの端部に連なる部分であって前記磁気カードを前記ガイド用スリットに案内する挿し込み用ガイド部を有し、前記挿し込み用ガイド部が、その天井面に沿って前記ガイド用スリット側に流れる水を落下させる防水構造を有することを特徴とする。
【００１３】
（７）本発明は、上記（６）の構成において、前記装置本体が、前記シャッタを収容するシャッタ収容部を有し、前記シャッタ収容部が、前記シャッタ収容部内に侵入した水を排出する排水構造を有することを特徴とする。
【００１４】
（８）本発明は、上記（７）の構成において、前記装置本体が、前記シャッタ収容部を下方から塞ぐ蓋体を有し、前記排水構造が、前記蓋体の厚み方向に貫通する貫通孔であることを特徴とする。
【発明の効果】
【００１５】
本発明の磁気カード読取装置によれば、屋外に設置された自動販売機等でも使用可能な防水性・防塵性を備えるとともに、スワイプ操作性及び読み取り精度の向上を図ることができる。
【図面の簡単な説明】
【００１６】
【図１】本発明の実施形態に係る磁気カード読取装置の正面図である。
【図２】図１に示される磁気カード読取装置の分解斜視図である。
【図３】図１のＡ矢視図である。
【図４】実施形態に係る装置本体を背面側でかつ斜め下方から見た斜視図であり、蓋体を外した構成を示す図である。
【図５】（ａ）は実施形態に係る磁気カード読取装置を正面側でかつ斜め下方から見た斜視図、（ｂ）は（ａ）から蓋体を外した構成を示す図である。
【図６】（ａ）は実施形態に係るシャッタを正面側でかつ斜め上方から見た斜視図、（ｂ）は実施形態に係るシャッタを背面側でかつ斜め下方から見た斜視図である。
【図７】図３のＢ−Ｂ線断面図である。
【図８】（ａ）は図１のＣ−Ｃ線断面図、（ｂ）は（ａ）のＤ部拡大図、（ｃ）は（ｂ）に示される状態からシャッタを開き位置に移動させた状態を示す図である。
【図９】（ａ）は図１のＥ−Ｅ線断面図、（ｂ）は（ａ）に示される状態からシャッタを開き位置に移動させた状態を示す図である。
【図１０】（ａ）は磁気カード読取装置の右側において磁気カードを挿入又は離脱した状態を示す図、（ｂ）は磁気カード読取装置において磁気カードをスワイプ操作している状態を示す図、（ｃ）は磁気カード読取装置の左側において磁気カードを挿入又は離脱した状態を示す図である。
【図１１】実施形態に係る磁気カード読取装置の斜視図であって装置本体を二点鎖線で示し、内部構成を実線で示した図である。
【図１２】（ａ）は図７のＦ部拡大図、（ｂ）は（ａ）に示される磁気読み取り部及びシャッタの全体を正面側から見た図、（ｃ）は（ａ）に示される状態からシャッタを開き位置に移動させた状態を示す図、（ｄ）は（ｃ）に示される磁気読み取り部及びシャッタの全体を正面側から見た図である。
【図１３】（ａ）は図１１に示される磁気カード読取装置の内部構成の斜視図、（ｂ）は（ａ）に示される状態からシャッタを開き位置に移動させた状態を示す図である。
【図１４】実施形態に係る磁気カード読取装置の作用説明図であり、（ａ）は正面側から見た要部断面図、（ｂ）は側方から見た要部断面図である。
【発明を実施するための形態】
【００１７】
以下、添付図面を参照して、本発明を実施するための形態（以下、「実施形態」と称する）について詳細に説明する。実施形態の説明の全体を通して同じ要素には同じ番号を付している。また、図面は、符号の向きに見るものとする。また、実施形態及び図中において「前」、「後」は、各々、磁気カード読取装置に正対したときの「手前側」、「奥側」を示し、実施形態及び図中において「左」、「右」は、各々、磁気カード読取装置に正対したときの「左」、「右」を示す。
【００１８】
（磁気カード読取装置の全体構成）
まず、磁気カード読取装置の全体構成を図１、図２に基づいて説明する。
図１に示すように、磁気カード読取装置１０は、磁気カード１１を水平な姿勢でかつ水平方向にスワイプ操作させることにより、磁気カード１１の磁気ストライプ部に記憶されている情報を読み取る装置である。
【００１９】
図２に示すように、磁気カード読取装置１０は、装置本体２０と、この装置本体２０に収容されるとともに、磁気カード１１の情報を読み取り可能な読み取り用スリット４１を有する磁気読み取り部４２と、磁気カード１１の動作に合わせて読み取り用スリット４１を開閉するシャッタ６０と、このシャッタ６０を付勢する付勢部材４３（この例では、圧縮コイルばね）とを備える。また、磁気カード読取装置１０は、ビス４５によって装置本体２０の裏面側にねじ止めされる制御ボード４６及びリアプレート４７を備えており、装置本体２０の正面側には、表示シート４８が設けられる。磁気カード読取装置１０は、リアプレート４７の裏側に設けられるパッキン５２を介して自動販売機等の取り付け部分に取り付けられる。また、磁気カード読取装置１０は、シャッタ６０の位置を検出する位置検出手段７０（図９（ａ）参照）をさらに備える。
【００２０】
なお、制御ボード４６に設けられる制御部には、例えば、本出願人により出願された特願２０１３−２５６９６０号に記載される制御技術などを適宜用いることができる。
【００２１】
（装置本体の構成）
次に、装置本体２０の構成を図２〜図５に基づいて説明する。
図２に示すように、装置本体２０は、装置正面側を覆うフロントカバーであり、ガイド用スリット２１と、ガイド用スリット２１の左右の両端部のそれぞれに設けられる挿し込み用ガイド部２２とを有する。
【００２２】
ガイド用スリット２１は、読み取り用スリット４１に連通部２１ａ（図８参照）を介して連通するとともに磁気カード１１を水平な姿勢でかつ水平方向にスワイプ操作させる溝である。ガイド用スリット２１は、ガイド用スリット２１の一側（例えば、右側）から他側（例えば、左側）に向く方向及びガイド用スリット２１の他側（例えば、左側）から一側（例えば、右側）に向く方向のいずれの方向においてもスワイプ操作可能に左右対称形状に形成される。
【００２３】
また、図３に示すように、ガイド用スリット２１の上側部分には、前方に突出する突出部２３がガイド用スリット２１の長手方向に沿って形成される。この突出部２３の上面２３ａは、その中央部から左右の両端部に向けて下り傾斜に形成される（図１参照）。
【００２４】
図２に戻り、挿し込み用ガイド部２２は、ガイド用スリット２１の端部に滑らかに連なる開放部分であって、磁気カード１１をガイド用スリット２１に案内する作用をなす。ここでは、装置本体２０の側面からガイド用スリット２１に近づくに従って高さ方向の幅が徐々に狭くなるように、挿し込み用ガイド部２２を形成する。
【００２５】
また、挿し込み用ガイド部２２は、ガイド用スリット２１側に流れる水を落下させる防水構造を有する。この例では、防水構造を、挿し込み用ガイド部２２の傾斜する天井面２２ａに設けた突起２５（図１参照）によって構成する。
【００２６】
図４に示すように、装置本体２０は、磁気読み取り部４２（図２参照）を収容する収容部２６と、シャッタ６０（図２参照）を収容するシャッタ収容部２７とを有する。
【００２７】
図５（ａ）に示すように、装置本体２０は、シャッタ収容部２７を下方から塞ぐ蓋体２８を備える。この蓋体２８には、シャッタ収容部２７（図５（ｂ））内に侵入した水を装置外部に排出する排水構造が設けられる。この例では、排水構造を、蓋体２８の厚み方向に貫通する第１の貫通孔３１ａ及び第２の貫通孔３１ｂにより構成する。第１の貫通孔３１ａは、複数（この例では、２個）設定されており、蓋体２８の左右両端部又はその近傍に設けられる。第２の貫通孔３１ｂは、複数（この例では、３個）設定されており、蓋体２８の後側の縁部に切欠き状に形成され、これら複数の第２の貫通孔３１ｂは、左右方向に等間隔に配置される。また、蓋体２８の上面側の左右両端部又はその近傍には、一対のガイド筒３２（図２参照）が設けられており、第１の貫通孔３１ａは、このガイド筒３２に連通する位置に形成される。
【００２８】
（シャッタの構成）
次に、シャッタ６０の構成を図６〜図８に基づいて説明する。
図６（ａ）及び（ｂ）に示すように、シャッタ６０は、磁気読み取り部４２を雨水や塵埃から保護する部材であり、左右方向に延びるシャッタ本体６１と、シャッタ本体６１の下面の左右両端部に下方に突出して設けられる一対の摺動軸６２と有し、シャッタ収容部２７（図５参照）に上下方向に沿って移動可能に収容される。
【００２９】
シャッタ本体６１は、読み取り用スリット４１を閉じるシャッタ６０の閉じ位置において、読み取り用スリット４１（図２参照）の正面側の開放部を閉塞する前壁６３と、読み取り用スリット４１（図２参照）の両端の開放部を開閉する一対の側壁６５と、各側壁６５の上端における後端及び前端から側方に向けて下り傾斜に形成される傾斜部６６（６６Ｌ，６６Ｒ）とを有する。
【００３０】
図７に示すように、摺動軸６２は、ガイド筒３２に対して上下方向に摺動可能に嵌合される。また、摺動軸６２とガイド筒３２の間には、付勢部材４３が介在しており、これにより、シャッタ６０は、付勢部材４３の付勢力によって閉じ方向（上方）に常時付勢されている。
【００３１】
シャッタ６０は、一方の端部の傾斜部６６（例えば、右側の傾斜部６６Ｒ）が、ガイド用スリット２１に挿入される磁気カード１１で押し下げられることにより、付勢部材４３に抗して閉じ位置から開き位置に下降する（図８（ｃ）参照）。また、シャッタ６０は、磁気カード１１が、ガイド用スリット２１でスワイプ操作された後に他方の端部の傾斜部６６（例えば、左側の傾斜部６６Ｌ）から離脱することにより、付勢部材４３によって開き位置から閉じ位置に上昇し復帰する（図８（ａ）及び（ｂ）参照）。
【００３２】
また、この例では、シャッタ本体６１の左右両端部のそれぞれにおいて、前後一対の傾斜部６６を離間して設け、この離間部には、側壁６５によって垂直な側面６７（図６（ａ）参照）が形成される。このように垂直な側面６７を形成することにより、仮に多量の水がシャッタ６０の端部に加えられたり侵入したりしても、水の圧力を垂直な側面６７が主に受けるため、シャッタ６０が、待機状態において押し下げられて読み取り用スリット４１（図２参照）が開放してしまうことを防止できる。
【００３３】
なお、シャッタ６０を構成する材料は、樹脂材料など各種の材料から任意に選択可能であるが、例えば、耐摩耗性、摺動性に優れるポリアセタール（ＰＯＭ）樹脂などが好適である。傾斜部６６の水平方向に対する傾斜角θ（図６参照）は、磁気カード１１の円滑な導入を考慮すると２０°以下が好適であるが、小さ過ぎると装置の外形幅が大きくなってしまう。このため、装置のコンパクト化も考慮すると、傾斜角θは、１５°以上２０°以下が好適である。また、シャッタ６０を閉じ方向に付勢する付勢部材４３の付勢力は、防水のため、ある程度の荷重（１Ｎ以上）が必要であるが、大き過ぎるとスワイプ操作性が低下してしまう。このため、使用性も考慮すると、付勢部材４３の付勢力は、１Ｎ以上２Ｎ以下が好適である。
【００３４】
（位置検出手段の構成）
続いて、位置検出手段７０の構成を図９に基づいて説明する。
図９（ａ）に示すように、位置検出手段７０は、シャッタ６０の後部にインサート成形などにより設けられる金属部品７１と、シャッタ収容部２７の後側の壁に設けられ、シャッタ６０の閉じ位置において金属部品７１に対向する（高さ位置が略一致する）近接センサ７２とを備える。磁気カード読取装置１０では、この近接センサ７２が金属部品７１を検出することによりシャッタ６０が閉じ位置あることを知ることができ、近接センサ７２が金属部品７１を検出していない場合は、シャッタ６０が開放している状態であることを知ることができる。これにより、シャッタ６０の開閉状態の検出が可能になる。
【００３５】
（磁気カード読取装置の動作）
次に、磁気カード読取装置１０における磁気カード読取動作を図１０〜図１３に基づいて説明する。
【００３６】
図１０（ａ）〜（ｃ）に示すように、この磁気カード読取装置１０では、ガイド用スリット２１の右側から左側に向けて（実線の白抜きの矢印で示す方向に）スワイプ操作することにより、磁気カード１１の磁気ストライプ部が磁気ヘッド４２ａ（図７参照）に摺接しながら、磁気ストライプ部に記憶されている情報を読み取ることができる。また、ガイド用スリット２１の左側から右側に向けて（破線の白抜きの矢印で示す方向に）スワイプ操作することによっても、磁気カード１１の磁気ストライプ部が磁気ヘッド４２ａに摺接しながら、磁気ストライプ部に記憶されている情報を読み取ることができる。これにより、例えば、ガイド用スリット２１の一側から他側に向けてスワイプ操作する場合は磁気カード１１に各種のポイントが貯まるように設定し、反対にガイド用スリット２１の他側から一側に向けてスワイプ操作する場合は磁気カード１１で決済が行われるように設定することができる。
【００３７】
ここで、磁気カード読み取り動作における磁気カード１１及びシャッタ６０の動作を詳細に説明する。なお、以下の説明では、ガイド用スリット２１の右側から左側に向けて（図１０中、実線の白抜きの矢印で示す方向に）スワイプ操作する磁気カード読み取り動作についてのみ説明する。
【００３８】
図１１は、磁気カード読取装置の斜視図であって装置本体を二点鎖線で示す図、図１２（ａ）は図７のＦ部拡大図、（ｂ）は（ａ）に示される磁気読み取り部及びシャッタを正面側から見た図、（ｃ）は（ａ）に示される状態からシャッタを開き位置に移動させた状態を示す図、（ｄ）は（ｃ）に示される磁気読み取り部及びシャッタを正面側から見た図である。また、図１３（ａ）は図１１に示される磁気カード読取装置の内部構成の斜視図、（ｂ）は（ａ）に示される状態からシャッタを開き位置に移動させた状態を示す図である。
【００３９】
図１２（ａ）及び（ｂ）に示すように、磁気カード読取装置１０の待機状態においては、付勢部材４３の付勢力によってシャッタ６０が読み取り用スリット４１及び連通部２１ａを閉じており、この閉じ位置にあるシャッタ６０によって（より具体的には、前壁６３及び左右の側壁６５によって）、読み取り用スリット４１に対する防水・防塵がなされている（図１３（ａ）参照）。
【００４０】
図１２（ｃ）及び（ｄ）に示すように、利用者が磁気カード１１を右側の挿し込み用ガイド部２２に側方から挿し込むと、磁気カード１１が挿し込み用ガイド部２２の傾斜によってガイド用スリット２１に案内されて挿入される。さらに、磁気カード１１がガイド用スリット２１において左方向へスワイプ操作されると、シャッタ６０の傾斜部６６Ｒが磁気カード１１によって押し下げられる。これにより、シャッタ６０全体が下降し、読み取り用スリット４１及び連通部２１ａが開放される（図１３（ｂ）参照）。
【００４１】
このように読み取り用スリット４１が開放された状態で、さらに、磁気カード１１がガイド用スリット２１において左方向へスワイプ操作されると、磁気カード１１の磁気ストライプ部が磁気ヘッド４２ａ（図７参照）に摺接しながら、磁気読み取り部４２において、磁気ストライプ部の情報の読み取りが行われる。
【００４２】
さらに、磁気カード１１がガイド用スリット２１を左方向へ移動させ、スワイプ操作が完了して左側の端部の傾斜部６６Ｌから磁気カード１１が抜けると、シャッタ６０が磁気カード１１による拘束から解放されるため、付勢部材４３によって上昇する。これにより、シャッタ６０の前壁６３と左右の側壁６５が、読み取り用スリット４１及び連通部２１ａを閉じ、読み取り用スリット４１に対する防水・防塵がなされた待機状態に戻る。
【００４３】
以上、説明した実施形態の効果について述べる。
本実施形態によれば、磁気カード１１をスワイプ操作していない待機状態では、シャッタ６０により、読み取り用スリット４１への雨水や塵埃の侵入を防止できるので、屋外に設置された自動販売機等でも使用可能な防水性・防塵性を備える磁気カード読取装置１０を提供することができる。また、左側又は右側のいずれの側からもスワイプ操作が可能であるため、操作性が良くなり、読み取り精度の向上を図ることもできる。
【００４４】
また、位置検出手段７０により、シャッタ６０の開閉状態の検出が可能であるため、磁気カード１１が磁気読み取り部４２に至る前に磁気カード１１が挿し込まれたことを認識できるとともに、シャッタ６０の復帰不良も検出することができる。
【００４５】
また、ガイド用スリット２１及び挿し込み用ガイド部２２により、磁気カード１１の挿し込み位置及びスワイプ操作方向（スライド方向）の認識、磁気カード読み取り操作を容易に行うことができる。また、シャッタ６０の正面側には、傾斜部を設けておらず、前壁６３を垂直な壁で構成しているので、誤った方向（正面側）から磁気カード１１を挿し込むことができない。このため、磁気カード１１の誤操作も防止することができる。
【００４６】
また、図１４（ａ）に示すように、ガイド用スリット２１の上側部分において、突出部２３の上面２３ａを左右の両端部に向けて下り傾斜に形成したので、突出部２３の上面２３ａの雨水は、上面２３ａの左右両端部に流れる（図１４（ａ）、矢印（１））。これにより、ガイド用スリット２１の正面中央側には雨水が落ちにくい構造が得られる。また、挿し込み用ガイド部２２では、その天井面２２ａにおいてガイド用スリット２１側に流れる水を突起２５によって落下させることができるので（図１４（ａ）、矢印（２））、より高い防水性を得ることができる。
【００４７】
また、雨水が、挿し込み用ガイド部２２を通過してシャッタ６０の側面とシャッタ収容部２７の内面との隙間からシャッタ収容部２７内に侵入しても、ガイド筒３２及び第１の貫通孔３１ａを介して装置下方に排出される（図１４（ａ）、矢印（３））。また、雨水が、シャッタ６０の正面とシャッタ収容部２７の内面との隙間からシャッタ収容部２７内に侵入しても、第２の貫通孔３１ｂを介して装置下方に排出される（図１４（ｂ）、矢印（４））。これにより、シャッタ収容部２７に雨水が溜まることを防止でき、さらなる防水性向上を実現することができる。
【００４８】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００４９】
１０    磁気カード読取装置
１１    磁気カード
２０    装置本体
２１    ガイド用スリット
２２    挿し込み用ガイド部
２２ａ  天井面
２５    突起
２７    シャッタ収容部
２８    蓋体
３１ａ  第１の貫通孔（貫通孔）
３１ｂ  第２の貫通孔（貫通孔）
４１    読み取り用スリット
４２    磁気読み取り部
４２ａ  磁気ヘッド
４３    付勢部材
６０    シャッタ
６１    シャッタ本体
６３    前壁
６５    側壁
６６    傾斜部
６６Ｒ  傾斜部
６６Ｌ  傾斜部
７０    位置検出手段
７１    金属部品
７２    近接センサ
【図１】
2016115233.tif 000003
【図２】
2016115233.tif 000004
【図３】
2016115233.tif 000005
【図４】
2016115233.tif 000006
【図５】
2016115233.tif 000007
【図６】
2016115233.tif 000008
【図７】
2016115233.tif 000009
【図８】
2016115233.tif 000010
【図９】
2016115233.tif 000011
【図１０】
2016115233.tif 000012
【図１１】
2016115233.tif 000013
【図１２】
2016115233.tif 000014
【図１３】
2016115233.tif 000015
【図１４】
2016115233.tif 000016